(57)【要約】  【課題】  記録時間の短縮と操作性の向上を両立させ得る記録装置を提供する。  【解決手段】  セットされたシートＰの１枚目Ｐ１を給送方向と交差する方向に移行させる移行ローラ８、９と、シート積載部のシートを給送する給送ローラ６と、を備え、移行ローラにより１枚目のシートを並列位置まで移行した後、給送ローラにより、セット位置にある２枚目のシートＰ２と並列位置にある１枚目のシートＰ１を給送する。【選択図】  図６
2008273675.tif 000002
【特許請求の範囲】
【請求項１】
シートをセット位置に積載するためのシート積載部と、
前記セット位置に積載された１枚目のシートを給送方向と交差する方向に移行させるための移行ローラと、
前記シート積載部のシートを給送する給送ローラと、
を備え、
前記移行ローラにより１枚目のシートを給送方向と交差する方向の並列位置まで移行した後、前記給送ローラにより、前記セット位置にある２枚目のシートと前記並列位置にある１枚目のシートを給送することを特徴とする記録装置。
【請求項２】
前記移行ローラは、前記セット位置にあるシートを送り出すための第１移行ローラと、送り出されたシートを前記並列位置まで移行させるための第２移行ローラと、を有することを特徴とする請求項１に記載の記録装置。
【請求項３】
前記セット位置にあるシートの幅方向位置を規制するための第１幅規制部と、
前記並列位置にあるシートの幅方向位置を規制するための第２幅規制部と、
を備え、
前記第２移行ローラにより前記１枚目のシートを前記第２幅規制部に押し当て、前記第１移行ローラを逆回転させることにより前記２枚目のシートを前記第１幅規制部へ押し当てることを特徴とすることを特徴とする請求項２に記載の記録装置。
【請求項４】
前記搬送ローラにより同時に給送されるシートを検知可能なセンサを備え、搬送されるシートの後端を該センサで検知した後、前記セット位置にある次の２枚のシートの給送、搬送及び記録の動作を連続して行うことを特徴とする請求項１乃至３のいずれか１項に記載の記録装置。
【請求項５】
前記給送ローラから前記搬送ローラへ同時に給送されるシートを検知可能なセンサを備え、該シートの先端の検知結果に基づいて前記搬送ローラによる該シートのレジ取りを行うことを特徴とする請求項１乃至３のいずれか１項に記載の記録装置。
【請求項６】
前記第１幅規制部により前記２枚目のシートの幅方向位置決めを行い、前記第２幅規制部により前記１枚目のシートの幅方向位置決めを行うことで２枚のシートに同時に記録する同時記録モードと、
前記第１幅規制部により幅方向位置を規制されたシートを１枚ずつ給送して記録を行う通常記録モードと、
を選択して制御することが可能であることを特徴とする請求項１乃至５のいずれか１項に記載の記録装置。
【請求項７】
前記通常記録モードで、セットされたシートの前記並列位置側の端縁の幅方向位置を、前記第２幅規制部により規制することを特徴とする請求項６に記載の記録装置。
【請求項８】
記録部の搬送下流側に配された第１排紙ローラと、
該第１排紙ローラの搬送下流側に配された第２排紙ローラと、を備え、
同時搬送される２枚のシートの後端が前記第１排紙ローラを抜けた後に、前記並列位置側のシートを前記第２排紙ローラの並列位置側に構成された斜送ローラによりセット位置側へ斜送することにより、並列位置側のシートをセット位置側のシートの上にオーバーラップさせた状態で排出することを特徴とする請求項１乃至７のいずれか１項に記載の記録装置。
【請求項９】
前記斜送ローラは、シートを斜送する斜送姿勢とシートを直進搬送する直進姿勢の間で切替え可能であることを特徴とする請求項８に記載の記録装置。
【請求項１０】
前記斜送ローラを前記斜送姿勢にして、同時記録された並列位置側のシートとセット位置側のシートを交互にオーバーラップさせた状態で排出する交互排出モードと、
前記斜送ローラを前記直進姿勢にセットし、同時記録された並列位置側のシートとセット位置側のシートを２箇所に排出する通常排出モードと、
を選択して制御することが可能であることを特徴とする請求項９に記載の記録装置。
【発明の詳細な説明】
【技術分野】
【０００１】
本発明は、給送されるシートに対し記録ヘッドにより記録を行う記録装置に関する。
【背景技術】
【０００２】
搬送されるシートに対し記録ヘッドにより記録を行う記録装置は、情報処理装置や処理システムの出力装置として広く使用されている。記録装置におけるシートの搬送機構として、２枚のシートに同時に記録するための構成が、特許文献１及び特許文献２に開示されている。これら従来のシート搬送機構では、並列の２箇所に積載した２枚のシートを同時に給送し、記録部で２枚のシートに同時に記録した後、並列状態で同時に排紙するように構成されている。このような構成により、各種サイズのシートに記録する場合の記録速度を向上させ、記録時間の短縮を図ることができる。
【０００３】
近年、パーソナルカラープリンタ等の記録装置ではフォト画質が飛躍的に向上し、カラープリンタを使ってユーザが自分でフォトプリントを行えるようになっている。そして、手軽にフォトプリントを行うために、印字スピードの向上、印字時間の短縮についての要望が強くなっている。特許文献１及び特許文献２に開示されるような並列搬送による同時記録を実施することで、Ｌ板、２Ｌ版、あるいは４×６サイズ等のフォト印刷における使用頻度の高い小サイズのシートに記録するような場合に、印字スピードを向上させ、印字時間を短縮することができる。
【特許文献１】特開平０９−１０９４９１号公報
【特許文献２】特開２００４−１９５８４０号公報
【発明の開示】
【発明が解決しようとする課題】
【０００４】
しかしながら、上記従来例では、ユーザは並列の２箇所にシートをセットしなければならないという課題があった。２箇所にシートを分けてセットすることにより、セットの不良状態や失敗を誘発する要因となることがあった。また、上記従来例では、２箇所に積載するシートを均等に分けなければどちらが先に無くなるかがわからないため、シートの有無を両側で検知する必要があり、制御が複雑になってコストアップにもなっていた。さらに、上記従来例では、記録されたシートの排出動作においても並列に排出される。このため、多数枚に連続記録する場合、ユーザは排出後にページを交互に入れ替えなければならず、通常の記録の場合よりも処理動作が煩わしくなってしまう。
【０００５】
本発明はこのような課題を解決するためになされたものである。本発明の目的は、記録時間の短縮と操作性の向上を両立させ得る記録装置を提供することである。
【課題を解決するための手段】
【０００６】
本発明に係る記録装置は、シートをセット位置に積載するためのシート積載部と、前記セット位置に積載された１枚目のシートを給送方向と交差する方向に移行させるための移行ローラと、前記シート積載部のシートを給送する給送ローラと、を備え、前記移行ローラにより１枚目のシートを給送方向と交差する方向の並列位置まで移行した後、前記給送ローラにより、前記セット位置にある２枚目のシートと前記並列位置にある１枚目のシートを給送することを特徴とする。
【発明の効果】
【０００７】
本発明によれば、記録時間の短縮と操作性の向上を両立させ得る記録装置が提供される。
【発明を実施するための最良の形態】
【０００８】
〈第１の実施形態〉
以下、図面を参照して本発明の実施形態を具体的に説明する。なお、各図面を通して同一符号は同一又は対応部分を示すものである。図１は本発明の一実施形態に係る記録装置においてシート積載部にシートをセットしたときの平面図である。図２は図１の記録装置の縦断面図である。図３は図１の記録装置の斜視図である。以下の実施形態では、インクジェット記録装置を例に挙げて説明する。このインクジェット記録装置は、画像情報に基づいて記録ヘッドの吐出口からシートへインクを吐出して記録を行うものである。図１〜３において、シートＰに画像を形成する記録部には、記録ヘッド１及びプラテン２が設けられている。記録ヘッド１は、記録情報に基づいて複数の吐出口からシートＰへ選択的にインクを吐出して記録を行う。記録ヘッド１は、キャリッジ（不図示）に搭載され、シートの搬送方向と交差する方向（通常、直交する方向）に移動することでシートに記録を行う。プラテン２は、記録ヘッド１に対向して配置され、記録部に搬送されるシートを支持する。
【０００９】
シートを記録部へ供給するための給紙部には、シートＰを積載するためのシート積載部を構成する圧板１０が設けられている。圧板１０は、給紙部のベース１２に支点１０Ａを中心に回転可能に取り付けられるとともに、バネ１１により給送ローラ６に向けて付勢されている。この圧板１０は、シート給送時に、バネ１１によりシートを給送ローラ６に押し付けるように作用する。なお、圧板１０には、大サイズのシートを支持するための伸縮可能な給紙トレイ２１が装着されている。積載されたシートＰは、その先端をベース１２の位置決め面に当接させてセット位置に保持されている。給送ローラ６には、セット位置に積載されたシートを分離給送するための第１のローラ部６Ａと、後述の並列位置に移行されたシートを給送するための第２のローラ部６Ｂが一体に設けられている。第１のローラ部６Ａには、シートを１枚ずつ分離して送り出すための分離ローラ７が押圧されている。分離ローラ７には、負荷トルクが所定値を超えたときに回転することでシートを分離するためのトルクリミッタ（不図示）が内蔵されている。
【００１０】
シート積載部１０に積載されたシートの上には、セット位置に積載された１枚目のシートＰ１を給送方向と交差する方向（通常、直交する方向）に移行させるための移行ローラ８、９が設けられている。この移行ローラは、セット位置にあるシートを並列位置に向けて送り出すための第１移行ローラ８と、送り出されたシートを並列位置まで移行させるための第２移行ローラ９と、を有している。第１移行ローラ８及び第２移行ローラ９は、シート積載部上のシートに対しそれらのローラ部８Ａ及び９Ａを個別に圧接、離間できるように取り付けられており、圧接することでシートの移行を制御することができる。本実施形態では、第１移行ローラ８及び第２移行ローラ９は、例えばベース１２等の固定部に回動可能に取り付けられている。
【００１１】
シート搬送方向において記録部の上流側には、シートＰを搬送するための搬送ローラ２２が配設されている。搬送ローラ２２には、搬送力を付与するためのピンチローラ３が押圧され、その間にニップが形成されている。給送ローラ６から給送されるシートＰは、上下のシートガイド１４、１５を通して、搬送ローラ２２とピンチローラ３のニップＮへ導かれる。搬送ローラ２２の搬送上流側には、シートの前後端を検知するための紙端センサ１３Ａ、１３Ｂが配置されている。後述する同時記録のために同時搬送される２枚のシートの端部を検知するために２個のセンサ１３Ａ、１３Ｂが配置されており、これらのセンサは例えばレバーセンサまたはフォトインタラプタ等で構成することができる。
【００１２】
シート搬送方向において記録部の下流側には第１排紙ローラ２３が配置され、第１排紙ローラ２３の下流側には第２排紙ローラ１８が配置され、第１排紙ローラ２３と第２排紙ローラ１８との間にはシートガイド１６が配置されている。第１排紙ローラ２３はシートの記録のための搬送とシートの排出を行い、第２排紙ローラ１８はシートの排出を行う。第１排紙ローラ２３には、従動ローラ４が押圧されている。第２排紙ローラ１８には、２枚同時記録の場合にセット位置側のシートを排出するための従動ローラ５Ａと並列位置側のシートを排出するための従動ローラ５Ｂが押圧されている。図１に示すように、従動ローラ５Ｂは、並列位置側のシートをセット位置側へ斜送するため斜送して配置されている。傾斜して配置される従動ローラ５Ｂと第２排紙ローラ１８とにより、並列位置側のシートをセット位置側へ搬送することができる。従動ローラ４、５として、シートと当接する形状が金属製の凹凸形状である拍車を用いても良い。排出されたシートは排紙トレイ１７上に積載される。なお、２０は装置本体の全体を示す。
【００１３】
図４はシート積載部に積載されたシートに移行ローラを押し当てたときの縦断面図である。図５はシート積載部の最上位のシートを給送方向と交差する方向に移行させるときの平面図である。図６はシート積載部の最上位のシートを並列位置へ移行させたときの平面図である。図７は図６の記録装置の斜視図である。図８はセット位置にあるシートと並列位置にあるシートを搬送ローラに給送するときの平面図である。図９は図８の記録装置の縦断面図である。図１０はセット位置側のシートと並列位置側のシートを記録部で搬送するときの平面図である。図１１は図１０の記録装置の縦断面図である。図１２はセット位置側のシートと並列位置側のシートを排出するときの平面図である。図１３は図１２の記録装置の縦断面図である。図１４は並列位置側のシートとセット位置側のシートをオーバーラップさせて排出する状態を示す平面図である。図１５は図１４の記録装置の縦断面図である。
【００１４】
次に、図１の記録装置において、シート積載部のセット位置にシートＰを積載し、最上位（１枚目）のシートを給送方向と交差する方向に並列位置まで移行させ、２枚同時に記録を行う場合の構成及び動作について説明する。図２に示すように、第１移行ローラ８及び第２移行ローラ９は矢印Ｂ方向へ待避した位置（シートから離間する位置）にある。この状態で、ユーザが、シート積載部である圧板１０上のセット位置にシートＰをセットする。このセットは、シートＰの片側の端縁が第１幅規制部１０Ｂに当接するように行われる。なお、このとき、シート積載部である圧板１０は制御カム等によりバネ１１に抗して給送ローラ６から離間している。
【００１５】
次に、シートの給送動作について説明する。第１移行ローラ８及び第２移行ローラ９を図２の矢印Ａ方向へ移動させ、図４に示すようにシートＰと当接させる。次に、図１に示すように、第１移行ローラ８を矢印Ｃ方向に、第２移行ローラ９を矢印Ｄ方向にそれぞれ回転させ、最上位（１枚目）のシートＰ１をセット位置から矢印Ｆ方向へ移動させる。次に、図５に示すように、シートＰ１が第１移行ローラ８を通過した後、第２移行ローラ９を矢印Ｄ方向にさらに回転させて該シートＰ１をさらに矢印Ｆ方向へ移行させる。このとき、第１移行ローラ８を矢印Ｅ方向に逆回転させ、１枚目のシートＰ１の移動に伴い移動してしまった２枚目のシートＰ２を矢印Ｇ方向に戻す。図６及び図７に示すように、第１移行ローラ８、第２移行ローラ９の回転により１枚目のシートＰ１は第２幅規制部１９に突き当たる並列位置まで移行させられる。１枚目のシートＰ１は第２幅規制部１９に当接することで幅方向の位置決めが行われ、２枚目のシートＰ２は第１幅規制部１０Ｂに当接することで幅方向の位置決めが行われる。１枚目のシートが位置決めされる並列位置と、セット位置にある２枚目のシートとは、幅方向に所定の隙間をもって配される。第１幅規制部１０Ｂは固定されており、第２幅規制部１９はシート幅方向に移動可能に構成されている。
【００１６】
次に、図８及び図９を用いて、１枚目のシートと２枚目のシートを給送する動作について説明する。１枚目シートＰ１及び２枚目のシートＰ２の幅方向の位置決めを行った後、圧板１０を離間しているカムを回転させることによりシートＰ１、Ｐ２を給送ローラ６に圧接させる。そして給送ローラ６を矢印Ｈ方向に回転させる。これにより、セット位置にある２枚目のシートＰ２については、第１のローラ部６Ａと分離ローラ７により３枚目のシートＰ３から分離され、２枚目のシートＰ２のみが矢印Ｊ方向に給送される。並列位置にある１枚目のシートＰ１は、第２のローラ部６Ｂにより矢印Ｊ方向に給送される。シートＰ１、Ｐ２はシートガイド１４、１５を通して搬送ローラ２２へ向けて送られる。シートＰ１、Ｐ２の先端が紙端センサ１３Ｂ、１３Ａで検知されると、その位置情報に基づいて、シートＰ１、Ｐ２の先端を揃えるためのレジ取り動作が行われる。すなわち、停止している搬送ローラ２２とピンチローラ３のニップＮにシートＰ１、Ｐ２の先端を突き当て、所定量だけ給送してループを形成することにより、各シートＰ１、Ｐ２のレジ取りが行われる。なお、シートの先端を逆転している搬送ローラ２２とピンチローラ３のニップに突き当てることによりレジ取りを行うことも可能である。
【００１７】
次いで、図１０及び図１１に示すように、搬送ローラ２２の回転を開始することによりシートＰ１、Ｐ２を記録部を通して搬送して記録ヘッド１により同時に記録が行われる。記録ヘッド１を搭載してキャリッジ（不図示）をシートの幅方向に往復移動させることにより１ラインづつ画像を形成する動作で行われる。なお、本実施形態では第１排紙ローラ及び第２排紙ローラ１８も搬送ローラ２２と同期して回転駆動される。そして、記録部におけるシートの搬送は、搬送ローラ２２と第１排紙ローラ２３により行われる。次に、図１２及び図１３に示すように、シートＰ１、Ｐ２に対する記録が終了し、各シートの後端が第１排紙ローラ２３と従動コロ４のニップを抜けるまで矢印Ｊ方向に搬送される。シートＰ１、Ｐ２の後端が第１排紙ローラ２３と従動ローラ４のニップを抜けると、セット位置側を搬送される２枚目のシートＰ２は、第２排紙ローラ１８と従動ローラ５Ａにより矢印Ｊ方向に排出される。一方、並列位置側を搬送される１枚目のシートＰ１は、傾斜して配置された従動ローラ５Ｂにより矢印Ｋ方向に斜めに排出される。
【００１８】
さらにシートの排出が進むと、並列位置側の１枚目のシートＰ１はセット位置側の２枚目のシートＰ２とオーバーラップする位置まで搬送される。そして、図１４及び図１５に示すように、最終的に１枚目のシートＰ１の一部を２枚目のシートＰ２にオーバーラップさせた状態で排紙トレイ１７上に排出される。本実施形態における同時記録では、排出されるシートの積載順序を考慮して、２枚目のシートＰ２に第１頁の内容が記録され、１枚目のシートＰ１に第２頁の内容が記録される。なお、このようにシートＰを斜送するための斜送ローラの構成は、第２排紙ローラ１８を分割して並列位置側の部分を傾斜させたり、排紙ローラの分割した両方の部分を傾ける構成としてもよい。
【００１９】
このような同時記録を連続して行う場合は、上記のシートＰ１、Ｐ２の後端の通過をセンサ１３Ａ、１３Ｂで検知し、その位置情報に基づいて次の２枚のシートに対し上述の一連の動作を繰り返す。つまり、次の１枚目のシート（シートＰ３）を移行ローラ８、９により並列位置へ移動させてから、シートＰ３とＰ４を給紙すればよい。これにより、２枚同時記録の連続記録動作が可能となる。このような２枚同時記録により、記録速度の向上と記録時間の短縮が可能となる。また、記録動作を行った１枚目のシートＰ１に２枚目のシートＰ２をオーバーラップさせるので、多数枚の連続同時記録の場合でも、記録されたシートＰの順番を入れ直す必要がなく、操作性を向上させることができる。
【００２０】
図１６はセット位置側のシートのみを給送し、記録し、排出するときの平面図である。圧板１０にシートをセットした状態で、幅方向への移行を行わずに通常の給送動作によりシート１枚ずつの記録を行うことができる。この場合は、第１幅規制部１０ＢによりセットされたシートＰの基準側端縁の幅方向位置を規制し、第１のローラ部６Ａと分離ローラ７で給送し、記録部により記録を行う。これは前述の２枚同時記録の場合の２枚目のシートＰ２の場合と同様である。このとき、第２幅規制部１９は、前述の２枚同時記録の場合と同じ位置にある。また、給送動作の前に、第１移行ローラ８の矢印Ｅ方向の逆回転によりシートＰを矢印Ｇ方向に移行させて第１幅規制部１Ｂに突き当てることで、シートＰの幅方向の位置決めを行っている。これにより、第２幅規制部１９を２枚同時記録のときと同じ位置にしたまま、前述の２枚同時記録と１箇所にセットしたシートの１枚記録を選択的に実行することが可能となる。すなわち、２枚のシートに同時記録を行う同時記録モードと、１枚ずつ給送する通常記録モードと、を選択的に実行することが可能である。
【００２１】
図１７はセット位置側のシートの両側端縁を規制し、セット位置側のシートのみを給送し、記録し、排出するときの平面図である。図１８は幅が大きいシートを給送し、記録し、排出するときの平面図である。本実施形態の記録装置では、第２幅規制部１９を図１に示す位置に設定したままで、通常の１枚記録を行うことができるが、さらに第２幅規制部１９を図１７に示す位置へ移動させて通常の１枚記録を行うことも可能である。このような構成によれば、１枚給送におけるシートの幅方向位置を一層確実にかつ安定して位置決めすることができる。同様に、図１８に示すように、シート積載部１０上に大サイズのシートＰをセットし、第２幅規制部１９をシート幅方向に移動させて該シートの幅方向の位置決めを行うことで、大サイズのシートに対する通常の１枚記録も同様に行うことができる。これにより、２枚同時記録と通常の１枚記録においてシートをセットするときの幅方向の位置決め構成を、簡単な構成で共通化することができる。
【００２２】
また、本実施形態の記録装置では、傾斜して配置された従動ローラ５Ｂにより並列位置側のシートを斜めに搬送するように構成したが、これは、斜め搬送と直進搬送とを選択的に行うように構成することができる。例えば傾斜して配置された従動ローラ５Ｂの角度を切替えられる構成とすることにより、斜め搬送と直進搬送とを選択できる構成としてもよい。このような構成によれば、２枚同時記録において、前述のような交互排出モードと、並列に排出する通常排出モード（並列排出モード）を選択的に実行することが可能となる。
【００２３】
〈第２の実施形態〉
図１９は装置本体の底面部から装置後方を回ってシートを給送する記録装置の斜視図である。図１９において、４４は装置本体４０の開口部４０Ａに対して矢印Ｌ方向に着脱可能に構成されたフロント給紙カセットである。フロント給紙カセット４４には、セットされたシートＰの基準側端縁に当接して幅方向位置を規制する第１幅規制部４４Ａと、その反対側に配された可動式の第２幅規制部４５が設けられている。第１幅規制部４４は第１の実施形態の第１幅規制部１０Ｂに対応し、第２幅規制部４５は第２幅規制部１９に対応している。シートＰは装置本体４０内の背部でＵターン搬送され、表裏反転されたシートに対して記録が行われ、前側の開口部４０Ｂから排出される。その他の構成については、第１の実施形態と同様である。この給送機構に、シート積載部を有するフロント給紙カセット４４、移行ローラ８、９と同様の移行ローラ（不図示）、及び給送ローラ６と同様の給送ローラ（不図示）を配し、同時に給送及び搬送される２枚のシートＰ１、Ｐ２を表裏反転させ、同時記録されたこれらのシートを装置本体４０の前側へ排出するように構成されている。
【００２４】
以上説明した実施形態によれば、２枚同時記録を行うためにユーザがシートをセットするとき、２箇所に分けてセットする煩わしさを無くすことができる。このため、従来例のように２箇所にシートを分けてセットすることによる、セット作業の不正確さや不安定さの誘発を無くすことができる。また、シート積載部の１箇所にシートをセットすれば良いため、記録速度の向上及び記録時間の短縮と２枚同時記録の操作性の向上を両立させることができる。さらに、２枚同時記録においても１箇所のセットで良いため、従来例のように２箇所にセットする場合に比べ、複数枚のシートに記録する際のシートの順番の制御やシート無し状態における給紙動作の制御を簡略化することができる。また、シートの有無を検知するための構成の簡略化及びコストダウンを図ることもできる。また、２枚同時記録において、排出したシートをオーバーラップさせることにより、排出積載状態でシートを記録の順序に自動的に重ね、ページの順に積載することができる。このため、２枚同時記録を連続して行う場合でも、ユーザが排出後の積載シートのページを交互に入れ替えるような煩わしさを解消することができる。
【００２５】
なお、以上の実施形態では、記録ヘッド１がシートＰの幅方向へ移動して記録を行うシリアル記録装置を例に挙げて説明したが、シート搬送方向の副走査のみで記録するラインタイプの記録装置においても同様に適用可能である。また、本発明は、プリンタ、複写機、ファクシミリ、撮像画像形成装置などの単体の記録装置に限定されるものではない。本発明は、これらを組み合わせた複合装置、あるいはコンピュータシステムなどの複合装置における記録装置に対しても広く適用可能である。また、シートＰの材質についても、紙、プラスチックシート、写真調印画紙、布、ＯＨＰ用シートなど、画像を記録できるものであれば、材質や性状に関わらず使用することができる。
【図面の簡単な説明】
【００２６】
【図１】本発明の一実施形態に係る記録装置においてシート積載部にシートをセットしたときの平面図である。
【図２】図１の記録装置の縦断面図である。
【図３】図１の記録装置の斜視図である。
【図４】シート積載部に積載されたシートに移行ローラを押し当てたときの縦断面図である。
【図５】シート積載部の最上位のシートを給送方向と交差する方向に移行させるときの平面図である。
【図６】シート積載部の最上位のシートを並列位置へ移行させたときの平面図である。
【図７】図６の記録装置の斜視図である。
【図８】セット位置にあるシートと並列位置にあるシートを搬送ローラに給送するときの平面図である。
【図９】図８の記録装置の縦断面図である。
【図１０】セット位置側のシートと並列位置側のシートを記録部で搬送するときの平面図である。
【図１１】図１０の記録装置の縦断面図である。
【図１２】セット位置側のシートと並列位置側のシートを排出するときの平面図である。
【図１３】図１２の記録装置の縦断面図である。
【図１４】並列位置側のシートとセット位置側のシートをオーバーラップさせて排出する状態を示す平面図である。
【図１５】図１４の記録装置の縦断面図である。
【図１６】セット位置側のシートのみを給送し、記録し、排出するときの平面図である。
【図１７】セット位置側のシートの両側端縁を規制し、セット位置側のシートのみを給送し、記録し、排出するときの平面図である。
【図１８】幅が大きいシートを給送し、記録し、排出するときの平面図である。
【図１９】装置本体の底面部から装置後方を回ってシートを給送する記録装置の斜視図である。
【符号の説明】
【００２７】
１          記録ヘッド
２          プラテン
５Ｂ        従動ローラ
６          給送ローラ
７          分離ローラ
８          第１移行ローラ
９          第２移行ローラ
１０        圧板
１０Ｂ      第１幅規制部
１３Ａ、１３Ｂ      紙端センサ
１７        排紙トレイ
１８        第２排紙ローラ
１９        第２幅規制部
２２        搬送ローラ
２３        第１排紙ローラ
４０        装置本体
４４        フロント給紙カセット
４４Ａ      第１幅規制部
４５        第２幅規制部
【図１】
2008273675.tif 000003
【図２】
2008273675.tif 000004
【図３】
2008273675.tif 000005
【図４】
2008273675.tif 000006
【図５】
2008273675.tif 000007
【図６】
2008273675.tif 000008
【図７】
2008273675.tif 000009
【図８】
2008273675.tif 000010
【図９】
2008273675.tif 000011
【図１０】
2008273675.tif 000012
【図１１】
2008273675.tif 000013
【図１２】
2008273675.tif 000014
【図１３】
2008273675.tif 000015
【図１４】
2008273675.tif 000016
【図１５】
2008273675.tif 000017
【図１６】
2008273675.tif 000018
【図１７】
2008273675.tif 000019
【図１８】
2008273675.tif 000020
【図１９】
2008273675.tif 000021